(57)【特許請求の範囲】
【請求項１】
筒状本体の側面に複数の横枝管接続部が設けられた排水ヘッダーにおいて、
前記筒状本体には、前記各横枝管接続部毎に点検口が設けられており、
前記筒状本体の一端部が排水立管装置に接続される第１端部開口とされ、他端部が蓋を着脱自在に取り付ける第２端部開口とされ、
前記第２端部開口に取り付けられる蓋は、前記筒状本体の内部に突出する突出部を有し、該突出部が、第２端部開口からそれに隣接する側部開口までの筒状本体内部空間を閉塞している
ことを特徴とする排水ヘッダー。
【請求項２】
前記横枝管接続部は、前記第１端部開口に向かうよう、前記筒状本体に斜状に設けられており、
前記蓋の突出部には、前記横枝管接続部の傾斜と同じ傾斜を有し且つ側部開口に連なる傾斜面が形成されている
ことを特徴とする請求項１記載の排水ヘッダー。
【請求項３】
前記蓋の突出部は、前記筒状本体に内嵌する中空筒体に形成され、該中空筒体の外端部は開口し、内端部は端面により閉塞されている
ことを特徴とする請求項１または２記載の排水ヘッダー。
【請求項４】
前記第２端部開口は、前記蓋に換えて他の配管部材を接続可能に構成されている
ことを特徴とする請求項１ないし３のいずれか１項に記載の排水ヘッダー。
【請求項５】
前記横枝管接続部は、前記蓋を着脱自在に取付可能とされている
ことを特徴とする請求項１ないし３のいずれか１項に記載の排水ヘッダー。
【請求項６】
下面の少なくとも３個所に支持部が設けられている
ことを特徴とする請求項１ないし５のいずれか１項に記載の排水ヘッダー。
【請求項７】
前記支持部が高さ調整自在とされている
ことを特徴とする請求項６記載の排水ヘッダー。
【請求項８】
前記支持部の先端に振動絶縁部材が設けられている
ことを特徴とする請求項６または７記載の排水ヘッダー。
【発明の詳細な説明】
【０００１】
【発明の属する技術分野】
本発明は、住宅やビル等に設けられる排水配管装置に用いられる排水ヘッダーに関する。
【０００２】
【従来の技術】
この種の排水ヘッダーとして、例えば、実公平４−５５８４号公報（以下、「従来技術１」という）に記載のものが公知である。
この従来のヘッダーは、筒状本体の側面に複数の側部開口を有し、該開口に横枝管を接続する接続部を備え、筒状本体の一端部は排水立管装置に接続される第１端部開口とされ、筒状本体の他端は、蓋を着脱自在に取り付ける第２端部開口とされていた。
【０００３】
また、住宅・都市整備公団建築部昭和６２年３月報告書の「昭和６１年度技術開発研究  配管のシステム化に関する研究」の刊行物（以下、「従来技術２」という）によれば、前記第２端部開口に汚水管が接続されるように構成され、また、筒状本体の上面には、大きな清掃口が設けられていた。更に、本体の下面には、レベル調整のための足が設けられ、各系統からの配管の勾配に合わせることが可能とされていた。
【０００４】
【発明が解決しようとする課題】
前記「従来技術１」に記載のものは、蓋が平板状であったので、蓋と側部開口との間の筒状本体に汚物が溜まり、清掃のために蓋を開けたときに、溜まった汚物が外部にこぼれ落ちて、大変不衛生となっていた。
また、「従来技術２」に示すものでは、清掃口が大きくて、高圧洗浄を行う場合、清掃口から洗浄水が溢れ出すおそれがあった。
さらに、レベル調整用の足は、二つであり、その調整は、もっぱら勾配の調整であり、安定載置の面では充分なものではなかった。即ち、施工に際して不安定となり、作業性が悪かった。
【０００５】
また、前記何れの従来技術においても、室内を改装して排水設備を増設した場合、横枝管の数が増えると、その接続処理のために、新たな排水ヘッダーに取り替えなければならなかった。
そこで、本発明は、前記従来技術の問題点を解消した排水ヘッダーを提供することを目的とする。
【０００６】
【課題を解決するための手段】
前記目的を達成するため、本発明は次の手段を講じた。即ち、本発明の特徴とするところは、筒状本体の側面に複数の横枝管接続部が設けられた排水ヘッダーにおいて、前記筒状本体には、前記各横枝管接続部毎に点検口が設けられており、前記筒状本体の一端部が排水立管装置に接続される第１端部開口とされ、他端部が蓋を着脱自在に取り付ける第２端部開口とされ、前記第２端部開口に取り付けられる蓋は、前記筒状本体の内部に突出する突出部を有し、該突出部が、第２端部開口からそれに隣接する側部開口までの筒状本体内部空間を閉塞している点にある。
【０００７】
このように、点検口を各横枝管接続部毎に設けることにより、点検口から各横枝管内へ洗浄ノズルの挿入が容易になり、清掃作業が容易になる。
また、前記構成の本発明によれば、蓋の突出部が筒状本体内部の空間を閉塞しているので、この空間に汚物が溜まることがなくなる。
前記構成において、横枝管接続部は、前記第１端部開口に向かうよう、前記筒状本体に斜状に設けられており、前記蓋の突出部には、前記横枝管接続部の傾斜と同じ傾斜を有し且つ側部開口に連なる傾斜面が形成されているのが好ましい。
【０００８】
このように構成することにより、突出部の端面が筒状本体の軸心に直交するものに比べ、汚物の溜まりがより少なくなる。さらに、横枝管から流れ込んだ排水が、この傾斜面に沿って下流側にスムーズに流れ、排水ヘッダー内部での流れ性能や、他の横枝管から流れ込んだ排水との合流性能の向上が図れる。
前記蓋の突出部は、前記筒状本体に内嵌する中空筒体に形成され、該筒体の外端部は開口し、内端部は端面により閉塞されているのが好ましい。このように中空にすることにより、軽量化が図れる。
【０００９】
好ましくは、前記第２端部開口は、蓋に換えて他の配管部材を接続可能に構成される。
このような構成を採用すれば、増改築により横枝管の数が増えたときに、例えば、他の配管部材として排水ヘッダーを最小下場合は、排水ヘッダー同志を連結接続することにより対応でき、従来のように、排水ヘッダーを取り替える必要がなくなる。さらに、はじめから複数の排水ヘッダーを接続して使用することにより、例えば、その排水ヘッダーが２口のものでは４口の排水ヘッダーとなるため、単独の４口の排水ヘッダーを製作する必要がなくなる。
【００１０】
また、前記横枝管接続部は、蓋を着脱自在に取付可能とされるのが好ましい。
このような構成とすることにより、蓋をした横枝管接続部を、将来の配管計画のための予備口とすることができる。
又、好ましくは、筒状本体の側面に複数の横枝管接続部が設けられた排水ヘッダーにおいて、前記ヘッダーの下面の少なくとも三個所に支持部が設けられる。
このように三個所に支持部を設けることにより、三点支持で排水ヘッダーを載置することができるので、従来の二点支持のものに比べ安定が良く、施工が容易になる。
【００１１】
前記支持部は高さ調整自在とされているのが好ましい。このように高さ調整自在とすることにより排水ヘッダーのレベル出しが容易になる。
前記支持部の先端に振動絶縁部材を設けるのが好ましい。このように、振動絶縁部材を設けることにより、排水ヘッダーの排水騒音がフロアーに伝達されるのが防止される。
【００１２】
【発明の実施の形態】
以下、本発明の実施の形態を図面に基づき説明する。
図１，２に示すものは、高層集合住宅（または戸建て住宅）における排水配管装置であり、廊下側に設けられたパイプスペースには各階フロアー１を貫通するように排水立管装置２が配管されている。この立管装置２は、各フロアー１に保持される排水集合管３と、該排水集合管３の上下に接続される立管４とからなる。前記排水集合管３の胴部には、横管接続部５が複数設けられている。
【００１３】
前記パイプスペースには、室内側から雑排水管６からなる複数の横枝管と、汚水管７からなる横枝管が配管され、汚水管７は、エルボ等を介して前記排水集合管３の一つの横管接続部５に接続されている。
前記汚水管７以外の複数の横枝管、即ち雑排水管６は、排水ヘッダー８に接続され、該排水ヘッダー８は、前記排水集合管３の一つの横管接続部５に接続されている。前記排水ヘッダー８は、２個直列に接続されて、４本の雑排水管６が接続されている。
【００１４】
図３〜６に、前記排水ヘッダー８の一実施の形態が示されている。この排水ヘッダー８は、円筒状本体９を有し、該本体９の一端部が排水立管装置２の排水集合管３に接続される第１端部開口１０とされ、他端部が蓋１１を着脱自在に取り付ける第２端部開口１２とされている。そして、筒状本体９の側面に２個の側部開口１３が設けられ、該側部開口１３に横枝管接続部１４が設けられている。
前記第１端部開口１０は、差し口に形成されている。前記第２端部開口１２は、前記第１端部開口１０を挿脱自在に受け入れ可能な受け口に形成されている。そして、この第２端部開口１２には、フランジ１５が形成されている。
【００１５】
前記第２端部開口１２に、蓋１１が着脱自在に取り付けられている。この蓋１１は、フランジ１６を有し、該フランジ１６と前記第２端部開口１２のフランジ１５とが、ボルト１７を介して結合されている。また両フランジ１５，１６間には、シールパッキン１８が介在され、気密性を保持している。
前記第２端部開口１２に取り付けられる蓋１１は、前記筒状本体９の内部に突出する突出部１９を有し、該突出部１９が、第２端部開口１２からそれに隣接する側部開口１３までの筒状本体９の内部空間を閉塞している。
【００１６】
前記横枝管接続部１４は、前記第１端部開口１０に向かうよう、前記筒状本体９に斜状に設けられており、前記蓋１１の突出部１９の端面２０は、前記横枝管接続部１４の傾斜とほぼ同じ傾斜を有し且つ側部開口１３に連なる傾斜面に形成されている。
前記蓋１１の突出部１９は、前記筒状本体９に内嵌する中空筒体に形成され、該筒体の外端部は開口し、内端部は端面２０により閉塞され、該端面２０は、前記横枝管接続部１４の傾斜と同じ傾斜を有し且つ側部開口１３に連なる傾斜面に形成されている。このように構成することにより、蓋１１の軽量化が図れる。
【００１７】
図６に示すように蓋１１の突出部１９を形成することにより、汚物が排水ヘッダー８内の第２端部開口１２付近に溜まることがなくなる。
前記横枝管接続部１４の外端部は、前記筒状本体９の軸心に直交する方向の軸心を有する開口部を有し、該開口部周縁にフランジ２１が形成されている。このフランジ２１に、シール部材を押し込む押輪２２がボルト２３により結合されている。この横枝管接続部１４の開口部に横枝管６を挿入して押輪２２をボルト締めすることにより、横枝管６は、排水ヘッダー８に接続される。
【００１８】
前記筒状本体９の上面で、各横枝管接続部１４に対応して、点検口２４が横枝管接続部１４の数だけ設けられている。
この点検口２４は、シールパッキン２４ａを介してカバー２５により施蓋され、一対のボルト２６により固定されている。
図７、８に示すように、前記カバー２５は、一対のボルト２６の内、一方を回動中心として、図７の矢印方向に回動させることにより、点検口２４を開閉自在としている。一対のボルト２６を緩めて、カバー２５を回動させ、点検口２４から高圧洗浄ノズルを挿入して、該ノズルから高圧水を噴出することにより、横枝管６内を清掃する。このとき、点検口２４は、各横枝管接続部１４毎に設けられているので、ノズルの挿入が容易になり、作業性が向上する。また、点検口２４を小さくできるので、点検口２４から清掃用高圧水が跳ね出すおそれが減少する。
【００１９】
前記筒状本体９と横枝管接続部１４の下面の三個所に支持部２７が設けられている。この支持部２７の一つは、前記第２端部開口部１２近傍の筒状本体９下面で、筒状本体９のセンターライン上に設けられている。二つ目の支持部２７は、第１端部開口１０側の点検口２４の下方で、センターラインより横枝管接続部１４とは反対側に偏倚した位置に設けられている（図８参照）。第３の支持部２７は、第１端部開口１０側の横枝管接続部１４の下面のセンターライン上に設けられている。
【００２０】
図４、５に示すように、前記三つの支持部２７の下面がフロアー１上に当接し、排水ヘッダー８を安定支持する。
図９、１０に示す排水ヘッダー８は、本発明の他の実施の形態であり、横枝管接続部１４が３個所設けられたものである。従って、点検口２４も各横枝管接続部１４に対応して３個設けられている。
そして、この実施の形態では、支持部２７が高さ調整自在に構成されている。即ち、支持部２７は、本体側の基部２７ａと該基部２７ａに螺合されたボルト２７ｂとにより構成されている。ボルト２７ｂを回動することにより排水ヘッダー８のレベル出しが可能となる。
【００２１】
なお、支持部２７の高さ調整機構は、前記ネジ式に限らずカム式やシム式等の如何なる手段のものであってもよい。
図１１〜１３に示す排水ヘッダー８は、図３に示すものと蓋１６の取り付け位置が逆とされたものである。そして、支持部２７の先端に振動絶縁部材２８が設けられている。
前記振動絶縁部材２８として、ゴムキャップを例示するが、ゴムに限られるものではない。要は、排水ヘッダー８の騒音をフロアー１に伝播しないものであればよい。また、この振動絶縁部材２８をネジ式として支持部２７の高さ調整を行えるようにするのが好ましい。
【００２２】
また、図１０に示すボルト２７ｂのヘッドに振動絶縁部材２８を設けることができる。
なお、振動絶縁部材２８の下面に敷き金を設け、敷き金と支持部２７で振動絶縁部材２８をサンドイッチ状に挟んでもよい。
なお、前記排水ヘッダー８を１個、単独で使用するときは、第２端部開口１２に蓋１１を取り付けて使用する。この時、横枝管６は、２本接続することができる。
【００２３】
前記図１、２に示すように、当該排水ヘッダー８を２個用いる場合は、集合管３に近い側の排水ヘッダー８の蓋１１を取り外し、該第２端部開口部１２に、他の排水ヘッダー８の第１端部開口１０を挿入し、押輪とパッキングとを介して結合する。このように排水ヘッダー８を２個結合すれば、４本の横枝管６を接続することができる。
図１４に示すものは、前記第２端部開口１２に取り付けられる蓋を取り外し、該蓋に換えて他の排水ヘッダー８の第１端部開口１０を押盤２９とパッキンを介して接続したものである。
【００２４】
このような構成を採用することにより、室内増改築に伴う横枝管の増設に、簡単に対応できる。
尚、本発明は、前記実施の形態に示したものに限定されるものではない。例えば、支持部２７は、少なくとも３個所設けられておればよく、それ以上の数であってもよい。また支持部２７の形状は任意である。
さらに、第２端部開口１２の蓋１１に換えて他の排水ヘッダー８を接続したが、それに限らず、汚水横枝管等の配管部材を接続することができる。
【００２５】
さらに、任意の横枝管接続部１４に蓋（図示省略）をすることにより、将来の配管計画のための予備口とすることができる。
【００２６】
【発明の効果】
本発明によれば、前記「従来技術１及び２」の問題点を解消することができるものである。
【図面の簡単な説明】
【図１】  図１は、排水配管装置の平面図である。
【図２】  図２は、図１の正面図である。
【図３】  図３は、本発明の実施の形態を示す排水ヘッダーの平面図である。
【図４】  図４は、図３の正面図である。
【図５】  図５は、図３の左側面図である。
【図６】  図６は、図４のＡ−Ａ線断面図である。
【図７】  図７は、点検口の平面図である。
【図８】  図８は、図４のＢ−Ｂ線断面図である。
【図９】  図９は、横枝管接続部を３つ有する排水ヘッダーの平面図である。
【図１０】  図１０は、図９の正面図である。
【図１１】  図１１は、蓋取付部が図３のものとは逆の排水ヘッダーの平面図である。
【図１２】  図１２は、図１１の正面図である。
【図１３】  図１３は、図１１の右側面図である。
【図１４】  図１４は、図１１に示す排水ヘッダーを二連連結した平面図である。
【符号の説明】
８  排水ヘッダー
９  筒状本体部
１０  第１端部開口
１１  蓋
１２  第２端部開口
１３  側部開口
１４  横枝管接続部
１９  突出部
２０  端面
２４  点検口
２７  支持部
２８  振動絶縁部材
【図１】
0004283986.tif 000002
【図２】
0004283986.tif 000003
【図３】
0004283986.tif 000004
【図４】
0004283986.tif 000005
【図５】
0004283986.tif 000006
【図６】
0004283986.tif 000007
【図７】
0004283986.tif 000008
【図８】
0004283986.tif 000009
【図９】
0004283986.tif 000010
【図１０】
0004283986.tif 000011
【図１１】
0004283986.tif 000012
【図１２】
0004283986.tif 000013
【図１３】
0004283986.tif 000014
【図１４】
0004283986.tif 000015